(57)【要約】      （修正有）【課題】ねじの取り外しを抑制すること。【解決手段】ねじの頭部１１から離脱せずに当該ねじの頭部に対して回転自在に係合する頭部カバー部材２と、ねじの頭部と頭部カバー部材とが相互に回転しないよう一体化させる一体化手段と、を備えている。そして、上記一体化手段は、頭部カバー部材の側壁に形成された貫通孔２０と、頭部カバー部材に着脱自在であり貫通孔に挿通することによってねじの頭部と頭部カバー部材とを一体化させる挿通部材４と、を備えている。さらに、上記挿通部材は、頭部カバー部材に形成された貫通孔に対応してねじの頭部に形成された挿通孔１０に挿通することにより、ねじの頭部と頭部カバー部材とを一体化させる。【選択図】図４
0003140150.tif 000002
【実用新案登録請求の範囲】
【請求項１】
ねじの頭部に覆い被さり、このねじの頭部から離脱せずに当該ねじの頭部に対して回転自在に係合する頭部カバー部材と、前記ねじの頭部と前記頭部カバー部材とが相互に回転しないよう一体化させる一体化手段と、
を備えたことを特徴とするねじカバー。
【請求項２】
前記一体化手段は、前記頭部カバー部材の側壁に形成された貫通孔と、前記頭部カバー部材に着脱自在であり前記貫通孔に挿通することによって前記ねじの頭部と前記頭部カバー部材とを一体化させる挿通部材と、を備えた、
ことを特徴とする請求項１記載のねじカバー。
【請求項３】
前記挿通部材は、前記頭部カバー部材に形成された前記貫通孔に対応して前記ねじの頭部に形成された挿通孔に挿通することにより、前記ねじの頭部と前記頭部カバー部材とを一体化させる、
ことを特徴とする請求項２記載のねじカバー。
【請求項４】
前記ねじの頭部に覆い被さる前記頭部カバー部材が、前記ねじの頭部から当該ねじの頭部の頭頂面側に離脱しないよう係止する係止手段を備えた、
ことを特徴とする請求項１，２又は３記載のねじカバー。
【請求項５】
前記係止手段は、略Ｃ字状、あるいは、略Ｏ字状のリング部材であり、
前記頭部カバー部材に形成された前記ねじの頭部を収容する収容凹部の開口側の内壁面に、前記リング部材の外周が嵌合する嵌合溝が形成され、
前記ねじの頭部を前記収容凹部に収容した状態で前記嵌合溝に前記リング部材を嵌合させることで、前記頭部カバー部材が前記ねじの頭部から当該ねじの頭部の頭頂面側に離脱しないよう係止する、
ことを特徴とする請求項４記載のねじカバー。
【請求項６】
所定のねじの頭頂側に係合するねじ頭部部材と、
このねじ頭部部材に覆い被さり、当該ねじ頭部部材から離脱せずに当該ねじ頭部部材に対して回転自在に係合する頭部カバー部材と、
前記ねじ頭部部材と前記頭部カバー部材とが相互に回転しないよう一体化させる一体化手段と、
を備えたことを特徴とするねじ頭部ユニット。
【請求項７】
頭部を有するねじと、このねじの頭部に覆い被さり当該ねじの頭部から離脱せずに当該ねじの頭部に対して回転自在に係合する頭部カバー部材と、前記ねじの頭部と前記頭部カバー部材とが相互に回転しないよう一体化させる一体化手段と、
を備えたことを特徴とするねじユニット。
【請求項８】
前記一体化手段は、前記頭部カバー部材の側壁に形成された貫通孔と、この貫通孔に対応して前記ねじの頭部に形成された挿通孔と、前記頭部カバー部材に対して着脱自在であり前記貫通孔及び前記挿通孔に挿通することにより前記ねじの頭部と前記頭部カバー部材とを一体化させる挿通手段と、を備えた、
ことを特徴とする請求項７記載のねじユニット。
【考案の詳細な説明】
【技術分野】
【０００１】
本考案は、ねじカバーにかかり、特に、ねじの頭部を覆うねじカバーに関する。また、このねじカバーを有するねじユニットに関する。
【背景技術】
【０００２】
従来より、被締結部材同士を連結するために、ねじが用いられる。一般的に、ねじは、一本の棒状部材にて形成されており、その一端には頭部が形成され、他端側にはねじ山が形成されたねじ本体部が形成されている。そして、ねじの頭部は、例えば六角形のナット状に形成されていたり、頭頂面に十字状溝が形成されていることにより、スパナやドライバーなどの工具で回すことが可能である。これにより、ねじ山が形成されたねじ本体部を、被締結部材にねじ込んだり、被締結部材から取り外すことができる。また、ねじの頭部の外径を大きく形成することで、素手でねじの頭部を回すことも可能である。つまり、素手でねじをねじ込んだり、取り外したりすることができる。
【０００３】
【特許文献１】登録実用新案第３１２８６０１号公報
【考案の開示】
【考案が解決しようとする課題】
【０００４】
ところが、ねじを使用する場所によっては、第三者によるねじの不必要な取り外しを防止したい場合がある。例えば、ポスターなどの装飾品をアクリルガラス内に収容して、ねじを用いて壁にパネル展示する場合には、関係者以外の者による不必要なねじの取り外しを防止して、内部のポスターなどの装飾品に対するいたずらや盗難を防止する必要がある。ところが、上述したようなねじでは、ねじの頭頂部が露出しているため、工具や素手でねじを回すことが可能であり、ねじの不必要な取り外し、さらには、装飾品の盗難、などの問題があった。
【０００５】
ここで、特許文献１には、ねじの頭部にさらに別の部材であるねじ頭部装着部材を備えたねじが開示されている。このねじによると、ねじの頭頂面を塞ぐことができ、ねじの取り外しを抑制することができる。
【０００６】
しかしながら、特許文献１に開示のねじであっても、ねじ装着部材の着脱は容易であるため、依然としてねじ自体の取り外しが容易である。そのため、ねじで取り付けられた装飾品などの盗難、といった問題を解決することは困難である。
【０００７】
このため、本考案の目的は、上述した課題である、ねじの取り外しを抑制する、ことにある。
【課題を解決するための手段】
【０００８】
そこで、本考案の一形態であるねじカバーは、ねじの頭部に覆い被さり、このねじの頭部から離脱せずに当該ねじの頭部に対して回転自在に係合する頭部カバー部材と、ねじの頭部と頭部カバー部材とが相互に回転しないよう一体化させる一体化手段と、を備えた、という構成をと採っている。
【考案の効果】
【０００９】
本考案は、以上のように構成されているため、簡易な構成にて、不必要なねじの取り外しを防止でき、同時に、ねじの頭部を頭部カバー部材にて覆っているため、デザイン性の向上も図ることができる、という優れた効果を有する。
【考案を実施するための最良の形態】
【００１０】
本考案は、ねじの不必要な取り外しを防止するために、ねじの頭部に装着するねじカバーの構成に特徴を有する。
【００１１】
そして、本考案の一形態であるねじカバーは、ねじの頭部に覆い被さり、このねじの頭部から離脱せずに当該ねじの頭部に対して回転自在に係合する頭部カバー部材と、ねじの頭部と頭部カバー部材とが相互に回転しないよう一体化させる一体化手段と、を備えた、という構成を採っている。
【００１２】
上記考案によると、頭部カバー部材がねじの頭部に覆い被さった状態で回転自在に係合しているため、ねじを回転させることができず、当該ねじの不必要な取り外しを防止できる。一方、一体化手段にてねじの頭部と頭部カバー部材とを一体化して、当該頭部カバー部材を回転させることで、ねじ自体を回転させることができる。従って、必要に応じて、ねじの着脱も行うことができる。その結果、簡易な構成にて、不必要なねじの取り外しを防止できると同時に、ねじの頭部を頭部カバー部材にて覆っているため、デザイン性の向上も図ることができる。
【００１３】
そして、上記ねじカバーでは、上記一体化手段は、頭部カバー部材の側壁に形成された貫通孔と、頭部カバー部材に着脱自在であり貫通孔に挿通することによってねじの頭部と頭部カバー部材とを一体化させる挿通部材と、を備えた、という構成を採る。さらに、上記挿通部材は、頭部カバー部材に形成された貫通孔に対応してねじの頭部に形成された挿通孔に挿通することにより、ねじの頭部と頭部カバー部材とを一体化させる、という構成を採る。
【００１４】
これにより、頭部カバー部材に形成された貫通孔に挿通部材を挿通させることで、頭部カバー部材とねじの頭部とを一体化することができ、ねじの取り外しを行うことができる。そして、挿通部材は着脱自在であるため、貫通孔に挿通されていないときには、頭部カバー部材がねじの頭部に回転自在な状態となっているため、ねじの不必要な取り外しを防止することができる。
【００１５】
また、上記ねじカバーでは、ねじの頭部に覆い被さる頭部カバー部材が、ねじの頭部から当該ねじの頭部の頭頂面側に離脱しないよう係止する係止手段を備えた、という構成を採る。そして、上記係止手段は、略Ｃ字状、あるいは、略Ｏ字状のリング部材であり、頭部カバー部材に形成されたねじの頭部を収容する収容凹部の開口側の内壁面に、リング部材の外周が嵌合する嵌合溝が形成され、ねじの頭部を収容凹部に収容した状態で嵌合溝にリング部材を嵌合させることで、頭部カバー部材がねじの頭部から当該ねじの頭部の頭頂面側に離脱しないよう係止する、という構成を採る。
【００１６】
これにより、頭部カバー部材の収容凹部にねじの頭部を収容した状態で係止部材であるリング部材を装備することで、頭部カバー部材がねじ頭部に覆い被さった状態で離脱することなく回転自在に係合させることができる。これにより、既存のねじの頭部にも、後から取り付けることが可能となり、汎用性の向上を図ることができる。
【００１７】
また、本考案の他の形態であるねじ頭部ユニットは、所定のねじの頭頂側に係合するねじ頭部部材と、このねじ頭部部材に覆い被さり当該ねじ頭部部材から離脱せずに当該ねじ頭部部材に対して回転自在に係合する頭部カバー部材と、ねじ頭部部材と頭部カバー部材とが相互に回転しないよう一体化させる一体化手段と、を備えた、という構成を採る。
【００１８】
さらに、本考案の他の形態であるねじユニットは、頭部を有するねじと、このねじの頭部に覆い被さり当該ねじの頭部から離脱せずに当該ねじの頭部に対して回転自在に係合する頭部カバー部材と、ねじの頭部と頭部カバー部材とが相互に回転しないよう一体化させる一体化手段と、を備えた、という構成を採る。そして、上記一体化手段は、頭部カバー部材の側壁に形成された貫通孔と、この貫通孔に対応してねじの頭部に形成された挿通孔と、頭部カバー部材に対して着脱自在であり貫通孔及び挿通孔に挿通することによりねじの頭部と頭部カバー部材とを一体化させる挿通手段と、を備えた、という構成を採る。
【００１９】
上述した構成のねじ頭部ユニット、及び、ねじユニットであっても、上述したねじカバーと同様に作用するため、上述した本考案の目的を達成することができる。
【００２０】
＜実施形態１＞
本考案の第１の実施形態を、図１乃至図６を参照して説明する。図１は、ねじの構成を示す図である。図２は、頭部カバー部材の構成を示す図である。図３は、頭部カバー部材に装備されるＣリングの構成を示す図である。図４は、ねじユニットの構成を示す図である。図５乃至図６は、ねじユニットの使用例を示す図である。
【００２１】
［構成］
本実施形態におけるねじユニットは、図４に示すように、ねじ１と、このねじ１の頭部１１に係合するねじカバー２，３，４と、を備えている。そして、ねじカバー２，３，４は、上記ねじ１の頭部に覆い被さる頭部カバー部材２と、この頭部カバー部材２がねじ１の頭部１１から離脱しないよう係止するＣリング３と、を備えている。さらに、ねじカバー２，３，４は、頭部カバー部材２とねじ１の頭部１１とが相互に回転しないよう一体化させるピン部材４と、を備えている。以下、各構成について詳述する。
【００２２】
上記ねじ１は、図１（ａ）に示すように、一端側に頭部１１と、他端側にねじ本体部１３と、が一体的に形成されている。そして、ねじ本体部１３には、一般的なねじと同様に、周囲にねじ山が形成されており、予め雌ねじが形成されたねじ穴や、木材などの軟質材にねじ込まれることで、被締結部材に締結可能なよう構成されている。なお、ねじ本体部１３に形成されるねじ山の形状は、タッピンねじや木ねじ、小ねじなどのいかなる形状であってもよい。
【００２３】
そして、ねじの頭部１１は、上記ねじ本体部１３よりも径の大きい略円柱形状に形成されている。そして、このねじの頭部１１の側面には、図１（ｂ）の断面図に示すように、所定の深さの挿通孔１０が形成されている。この挿通孔１０は、後述する頭部カバー部材２に形成される貫通孔２０の位置に対応して形成されている。また、挿通孔１０の径は、後述する貫通孔２０とほぼ同じであり、かつ、ピン部材４の挿通部４０が挿通可能な大きさに形成されている。なお、図１では上記挿通孔１０が１つ形成されているが、必ずしも１つであることに限定されない。例えば、ねじ１の頭部１１の側面に、等間隔に複数形成されていてもよい。
【００２４】
また、ねじ１の頭部１１とねじ本体部１３との間には、当該ねじ本体部１３の径よりも大きく、また、頭部１１の径よりも小さい径の中間部１２が形成されている。
【００２５】
次に、図２，３，４を参照して、ねじカバーについて説明する。ねじカバーを構成する頭部カバー部材２は、図２（ａ）の正面図及び図２（ｂ）の断面図に示すように、底面に開口部２５を有し、底面から上方に向かってねじ１の頭部１１を収容可能な収容凹状２３を有するキャップ状に形成されている。つまり、頭部カバー部材２は、断面コ字状に形成されている。
【００２６】
そして、この頭部カバー部材２の頭頂面２１の周囲に立設して収容凹部２３を形成する側壁２２には、当該側壁２２を貫通する貫通孔２０が形成されている。この貫通孔２０の径は、上述したねじ１の頭部１１に形成された挿通孔１０の径とほぼ同一であり、後述するピン部材４の挿通部４０が挿通可能な径である。また、この貫通孔２０の形成位置は、図４に示すように、頭部カバー部材２の収容凹部２３にねじ１の頭部１１が収容されたときに、当該ねじ１の頭部１１に形成された挿通孔１０と、高さが一致するよう形成されている。従って、ねじ１の頭部１１に対して頭部カバー部材２を回転させることで、貫通孔２０と挿通穴１０とが同一軸上に位置するように形成されている。なお、上記貫通孔２０の数は、必ずしも１であることに限定されない。例えば、頭部カバー部材２の側壁２２に、等間隔に複数形成されていてもよい。
【００２７】
また、頭部カバー部材２の収容凹部２３の内側面（内壁面）には、その開口部２５付近に、当該開口部２５部分、及び、内底面（頭頂面）側の頭部１１が収容される部分よりも径が大きい円環状の嵌合溝２４が形成されている。具体的に、嵌合溝２４は、収容凹部２３の内底面から開口部２５に向かってねじ１の頭部１１の高さだけ離れた位置に形成されており、その溝幅は、後述するＣリング３の厚みとほぼ同じである。これにより、頭部カバー部材２は、収容凹部２３にねじ１の頭部１１を収容した状態で、嵌合溝２４に後述するＣリング３（係止手段）を嵌合させることができる。これにより、ねじ１の頭部１１を頭部カバー部材２の収容凹部２３に収容することができ、ねじ１の頭部１１から頭部カバー部材２が離脱しないよう係止することができる。
【００２８】
また、上記Ｃリング３は、例えば、図３に示すように、環状部材の一部が切断された略Ｃ字状のリングである。このＣリング３の外径は、上記嵌合溝２４の径とほぼ同一であり、Ｃリング３の内径は、頭部カバー部材２の収容凹部２３の内径及びねじ１の頭部１１の外径よりも小さく形成されている。そして、Ｃリング３は、一部が切断されていることによって、その形状を変形させることで、外径を一時的に小さくすることができる。例えば、Ｃリング３を頭部カバー部材２の開口部２５から挿入して嵌合溝２４に装着する際には、Ｃリング３の切断部分を近接させることによって、外径が小さくなるよう変形させて開口部２５から嵌合溝２４に装着する。なお、Ｃリング３は、必ずしもＣ字状であることに限定されない。例えば、略Ｏ字状のリング部材であってもよい。また、他の構成の部材を用いたり、収容凹部２３の内部に爪部を形成してねじ１の頭部１１を引っ掛けておくことで、ねじ１の頭部１１から頭部カバー部材２が離脱しない係止してもよい。
【００２９】
また、上記ピン部材４（挿通部材）は、図４（ｂ）に示すように、その一端側に棒状の挿通部４０を有する。この挿通部４０の径は、上述した頭部カバー部材２に形成された貫通孔２０と、ねじ１の頭部１１に形成された挿通孔１０とに対して、若干小さく形成されており、これら各孔２０，１０に挿通可能なよう形成されている。そして、図４（ｂ）に示すように、ピン部材４の挿通部４０を貫通孔２０と挿通孔１０とに挿通することで、頭部カバー部材２とねじ１の頭部１１とが相互に回転しないよう一体化させることができる。つまり、上記貫通孔２０と挿通孔１０とピン部材４とは、協働して頭部カバー部材２とねじ１の頭部１１とを一体化させる一体化手段として機能する。
【００３０】
［使用例］
次に、上記ねじユニットの使用例を、図４乃至図６を参照して説明する。図４は、上述したように、ねじユニットの構成を示す図である。図５は、壁面にパネルを固定するときの様子を示す図であり、図６は、ねじユニットの操作例を示す図である。
【００３１】
まず、図４（ａ）に示すように、ねじ１の頭部１１を頭部カバー部材２の収容凹部２３に収容する。そして、頭部カバー部材２の開口部２５側から、Ｃリング３を嵌合溝２４に嵌合する。これにより、嵌合溝２４に固定されたＣリング３によって、ねじ１の頭部１１を頭部カバー部材２内に収容したままの状態にすることができる。このとき、頭部カバー部材２がねじ１の頭頂側に離脱することを防止できるが、当該頭部カバー部材２はねじ１の頭部１１に対して回転自在となっている。これにより、ねじユニットを構成することができる。
【００３２】
そして、図５に示すように、壁面Ｗにポスターなどの装飾品が収容されたパネルＰを展示する場合には、上記ねじユニットのねじ１のねじ本体部１３を、パネルＰ及び壁面Ｗに設けられた取り付け部５のねじ穴に挿通する。このとき、頭部カバー部材２を素手Ｈでつまんで回転させても、図６（ａ）に示すように、頭部カバー部材２が空回りするだけであり、ねじ１自体を回転させることができず、当該ねじ１を取り付けることができない。このため、図４（ｂ）及び図６（ｂ）に示すように、頭部カバー部材２の貫通孔２０とねじ１の頭部１１の挿通孔１０にピン部材４の挿通部４０を挿通する。すると、ピン部材４を介して頭部カバー部材２とねじ１の頭部１１とが一体化され、頭部カバー部材２を回転させることで、これに連動してねじ１が回転する。これにより、ねじ１のねじ本体部１３を取り付け部５のねじ穴にねじ込むことができ、パネルＰを壁Ｗに固定することができる。
【００３３】
その後、ピン部材４を頭部カバー部材２及びねじ１の頭部１１から取り外すことで、再び図６（ａ）に示すように、頭部カバー部材２がねじ１の頭部１１に対して空回りする状態となる。これにより、関係者以外の者による不必要なねじ１の取り外しを防止することができ、パネルＰ内部のポスターなどの装飾品に対するいたずらや盗難を防止することができる。このとき、ねじ１の頭部１１を頭部カバー部材２にて覆っているため、当該頭部カバー部材２をデザイン性の優れた形状にしたり、色や模様を施すことにより、デザイン性の向上も図ることができる。
【００３４】
そして、壁ＷからパネルＰ自体を取り外す際には、また上記同様に、ピン部材４を頭部カバー部材２の貫通孔２０とねじ１の頭部１１に形成された挿通孔１０に挿通することで、図６（ｂ）に示すように、ねじ１を回転可能な状態にすることができる。
【００３５】
＜実施形態２＞
本考案の第２の実施形態を、図７を参照して説明する。上記では、ねじ１の頭部１１に挿通孔１０が形成されている場合を例示したが、本実施形態では、ねじ１の頭部１１に挿通孔１０が形成されていない。そして、上記頭部カバー部材２に形成された貫通孔２０には雌ねじが形成されており、ピン部材４の挿通部４０にはねじ山が形成されている。
【００３６】
そして、図７に示すように、ピン部材４の挿通部４０を、その先端部でねじ１の頭部１１を押圧するまで貫通孔２０にねじ込む。これにより、頭部カバー部材２とねじ１の頭部１１とが相互に回転しないよう固定され一体化される。かかる構成によると、既存のねじの頭部に、上述した頭部カバー部材２とＣリング３とを装着することで、上述したねじユニットを構成することができる。従って、汎用性の向上を図ることができる。
【００３７】
＜実施形態３＞
次に、本考案の第２の実施形態を、図８を参照して説明する。本実施形態は、図８（ａ）に示す頭部にねじ山が形成されたねじ２０１の頭頂側に装備される、ねじ頭部ユニットを構成している。具体的には、図８（ｂ）に示すように、ねじ２０１の頭部に形成されたねじ山に係合するねじ穴が底面側に形成されたねじ頭部部材２１１を備えている。このねじ頭部部材２１１は、ねじ２０１と一体的となり、上記実施形態１で開示したねじ１の頭部１１の役割を果たす。そして、ねじ頭部部材２１１には、頭部カバー部材２に形成された貫通孔２０に対応する挿通孔２１０が形成されており、当該挿通孔２１０はピン部材４が挿通可能なよう形成されている。
【００３８】
また、本実施形態におけるねじ頭部ユニットは、上記ねじ頭部部材２１１を収容する収容凹部が形成された頭部カバー部材２０２と、Ｃリング２０３と、ピン部材（図示せず）と、を備えている。なお、これらの構成は、上記実施形態１のものと同様であるため、その詳細な説明は省略する。
【００３９】
以上のように、本実施形態のねじ頭部ユニットによると、頭部にねじ山が形成された既存のねじの頭部にねじ頭部部材２１１を取り付けることで、さらにそれを覆うよう上述した頭部カバー部材２０２等を取り付けることができる。これにより、ねじ頭部部材２１１と頭部カバー部材２０１とは空回りする状態となり、不必要なねじの取り外しを防止することができる。一方で、ピン部材を用いることで、上述同様に、ねじを回転させることができ、ねじとしての機能も果たす。
【産業上の利用可能性】
【００４０】
本考案は、壁にパネルを取り付ける際に用いるなど、頭部が外部に露出するねじに利用することができ、産業上の利用可能性を有する。
【図面の簡単な説明】
【００４１】
【図１】ねじの構成を示す図である。
【図２】ねじカバー部材の構成を示す図である。
【図３】Ｃリングの構成を示す図である。
【図４】ねじユニットの構成を示す図である。
【図５】ねじユニットの使用例を示す図である。
【図６】ねじユニットの使用例を示す図である。
【図７】実施形態２におけるねじユニットの構成を示す図である。
【図８】実施形態３におけるねじ頭部ユニットの構成を示す図である。
【符号の説明】
【００４２】
１  ねじ
２  頭部カバー部材
３  Ｃリング
４  ピン部材
１０  挿通孔
１１  頭部
１３  ねじ本体部
２０  貫通孔
２１  頭頂部
２２  側壁
２３  収容凹部
２４  嵌合溝
２５  開口部
４０  挿通部
１００  ねじユニット
【図１】
0003140150.tif 000003
【図２】
0003140150.tif 000004
【図３】
0003140150.tif 000005
【図４】
0003140150.tif 000006
【図５】
0003140150.tif 000007
【図６】
0003140150.tif 000008
【図７】
0003140150.tif 000009
【図８】
0003140150.tif 000010